(57)【要約】【課題】多様なヘアデザインを実現するのに好適であるとともに、作業効率を向上しうるマルチヘアカッターを提供する。【解決手段】マルチヘアカッターを構成する刃部材２は、本体部材１の高さ方向Ｔの一方に取り付けられている。突起部材３は、基体部３１と、少なくとも１つの突片３２とを有しており、基体部３１は、本体部材１の高さ方向Ｔの他方において、刃部材２の反対側に着脱可能に取り付けられている。突片３２は、基体部３１に突設され、刃部材２とは反対の方向に立ち上がっている。【選択図】図１
2011115382.tif 000002
【特許請求の範囲】
【請求項１】
本体部材と、刃部材と、突起部材とを含むマルチヘアカッターであって、
前記刃部材は、前記本体部材の高さ方向の一方に取り付けられており、
前記突起部材は、基体部と、少なくとも１つの突片とを有しており、
前記基体部は、前記本体部材の前記高さ方向の他方において、前記刃部材の反対側に着脱可能に取り付けられており、
前記突片は、前記基体部に突設され、前記刃部材とは反対の方向に立ち上がっている、マルチヘアカッター。
【請求項２】
請求項１に記載されたマルチヘアカッターであって、さらに指置き部材を含み、
前記指置き部材は、第２の基体部と、リング部とを有しており、
前記第２の基体部は、前記本体部材の前記高さ方向の他方において、前記刃部材の反対側に着脱可能に取り付けられており、
前記リング部は、前記第２の基体部に突設され、前記刃部材とは反対の方向に立ち上がっている、
マルチヘアカッター。
【発明の詳細な説明】
【技術分野】
【０００１】
本発明は、ヘアカッターに関し、特に多機能を有するマルチヘアカッターに関する。
【背景技術】
【０００２】
理容師またはヘアスタイリストにとって、重要な調髪道具の１つとして、特許文献１に記載されているようなヘアカッターが知られている。
【０００３】
この種のヘアカッターでは、伝統的な髪鋏とは異なるヘアカット法によって多様なヘアデザインを実現することができる。例えば、ヘアカッターを用いたストロークカット法では、まず適当な量の髪を櫛などで整えて毛束を作り、次に作った毛束を左手で保持し、右手でヘアカッターを上下に往復させながら保持した毛束を下向きに梳き切る。このストロークカット法によると、髪の自然な流れに沿った角度で髪を梳き切ることができる。
【０００４】
ところで、上述したストロークカット法では、カットラインを不均一にして動きのあるヘアデザインを演出するため、毛束の一部をあえて切断せずに残したい場合がある。その場合、従来は、左手で保持している毛束の一部を、右手で間引いていた。
【０００５】
しかし、上述したような作業手順では、毛束の一部を間引く作業をする際に、ヘアカッターの往復操作が一時的に中断されることとなり、作業効率が低下する。
【先行技術文献】
【特許文献】
【０００６】
【特許文献１】特許第３１８２５５４号公報
【発明の概要】
【発明が解決しようとする課題】
【０００７】
本発明の課題は、多様なヘアデザインを実現するのに好適なマルチヘアカッターを提供することである。
【０００８】
本発明のもう一つの課題は、作業効率を向上しうるマルチヘアカッターを提供することである。
【課題を解決するための手段】
【０００９】
上述した課題を解決するため、本発明に係るマルチヘアカッターは、本体部材と、刃部材と、突起部材とを含む。刃部材は、本体部材の高さ方向の一方に取り付けられている。突起部材は、基体部と、少なくとも１つの突片とを有している。基体部は、本体部材の高さ方向の他方において、刃部材の反対側に着脱可能に取り付けられている。突片は、基体部に突設され、刃部材とは反対の方向に立ち上がっている。
【００１０】
上述したように、本発明に係るマルチヘアカッターは、刃部材が本体部材の高さ方向の一方に取り付けられているから、例えば、ストロークカット法において、右手のマルチヘアカッターを振り下ろす動作により、左手で保持している毛束の一部を、刃部材でカットするなど、通常の用法に従ったカット作業をすることができる。
【００１１】
本発明は、上述したヘアカッターの基本的構成に加え、突起部材を有する点に特徴の一つがある。すなわち、突起部材を構成する基体部は、本体部材の高さ方向の他方において
、刃部材の反対側に着脱可能に取り付けられており、突片は、基体部に突設され、刃部材とは反対の方向に立ち上がっている。この構造によると、上述したストロークカット法において、右手のマルチヘアカッターを振り上げる動作により、左手で保持している毛束から残したい分の毛束を、突片に引っ掛けて間引くことができる。従って、本発明に係るマルチヘアカッターでは、上下往復操作が一時的に中断される不都合はなく、カット作業の作業効率が向上する。
【００１２】
さらに、突起部材を構成する基体部は、本体部材に着脱可能に取り付けられているから、所望のヘアデザインにあわせて適宜突起部材を交換することにより、多様なヘアデザインを実現することができる。また、破損した場合には迅速に交換することができるから、作業効率が向上する。
【発明の効果】
【００１３】
以上述べたように、本発明によれば、次のような効果を得ることができる。
（ａ）多様なヘアデザインを実現しうるマルチヘアカッターを提供することができる。
（ｂ）作業効率を向上しうるマルチヘアカッターを提供することができる。
【００１４】
本発明の他の目的、構成及び利点については、添付図面を参照し、更に詳しく説明する。添付図面は、単に、例示に過ぎない。
【図面の簡単な説明】
【００１５】
【図１】（ａ）は本発明の一実施形態に係るマルチヘアカッターの平面図、（ｂ）は同マルチヘアカッターの正面図である。
【図２】（ａ）は図１の刃部材を抜き出して示す左側面図、（ｂ）は同刃部材の正面図である。
【図３】（ａ）は図１の突起部材を抜き出して示す左側面図、（ｂ）は同突起部材の正面図である。
【図４】（ａ）は図１の指置き部材を抜き出して示す左側面図、（ｂ）は同指置き部材の底面図、（ｃ）は同指置き部材の部分断面図である。
【図５】図１のマルチヘアカッターの部分断面図である。
【図６】図１のマルチヘアカッターの前端部を拡大して示す分解構造図である。
【図７】図１のマルチヘアカッターを構成する本体部材の前端部について、一部を省略して示す断面図である。
【図８】図１のマルチヘアカッターの分解構造について、一部を省略して示す左側面断面図である。
【図９】本発明の一実施形態に係るマルチヘアカッターの使用方法について、一部を省略して示す正面図である。
【図１０】図９に示した工程の後の工程について、一部を省略して示す正面図である。
【図１１】図１０に示した工程の後の工程について、一部を省略して示す正面図である。
【図１２】本発明に係るマルチヘアカッターの突起部材について、もう一つの実施形態を示す正面図である。
【図１３】本発明に係るマルチヘアカッターの突起部材について、さらにもう一つの実施形態を示す正面図である。
【図１４】本発明に係るマルチヘアカッターの突起部材について、さらにもう一つの実施形態を示す正面図である。
【図１５】（ａ）は本発明に係るマルチヘアカッターの突起部材について、さらにもう一つの実施形態を示す左側面図、（ｂ）は同突起部材の正面図、（ｃ）は同突起部材の底面図である。
【図１６】図１５の突起部材の取り付け方法について、一部を省略して示す部分断面図である。
【図１７】図１６に示した工程の後の工程について、一部を省略して示す部分断面図である。
【図１８】図１７に示した工程の後の工程について、一部を省略して示す部分断面図である。
【図１９】本発明のさらにもう一つの実施形態に係るマルチヘアカッターの正面図である。
【図２０】本発明のさらにもう一つの実施形態に係るマルチヘアカッターの正面図である。
【図２１】（ａ）は図１５の指置き部材を抜き出して示す正面、（ｂ）は同指置き部材の底面図、（ｃ）は同指置き部材の左側面図である。
【図２２】本発明のさらにもう一つの実施形態に係るマルチヘアカッターの正面図である。
【発明を実施するための形態】
【００１６】
図１乃至図２２において同一符号は、同一又は対応部分を示すものとする。図１乃至図２２の説明において、本体部材の長手方向、刃部材の長手方向、突起部材の長手方向、及び、指置き部材の長手方向は、それぞれ一致するから、全て符号Ｌに統一して示す。また、刃部材の短手方向、突起部材の高さ方向、及び、指置き部材の高さ方向は、それぞれ一致するから、全て符号Ｔに統一して示す。さらに、本体部材の幅方向、刃保護体の幅方向、突起部材の幅方向、及び、指置き部材の径方向は、それぞれ一致するから、全て符号Ｗに統一して示す。
【００１７】
図１のマルチヘアカッターは、本体部材１と、刃部材２と、突起部材３と、指置き部材４と、摺動部材５とを含む。本体部材１は、前端部１０１と、後端部１０２とを有している。前端部１０１は、長手方向Ｌでみた本体部材１の中間部分から一端までの部分であって、刃部材２、突起部材３、指置き部材４及び摺動部材５が取り付けられている。後端部１０２は、長手方向Ｌでみた本体部材１の中間部から他端までの部分であって、ヘアカッターの把手を構成している。
【００１８】
さらに、図１を参照すると、本体部材１は、第１の本体部１１と、第２の本体部１２とを含む。第１、第２の本体部１１、１２のそれぞれは、金型成型によるダイカスト製品、又は、射出成型による樹脂製品である。用いられる材料は、軽量性、材料コスト、耐腐食性などの観点から適宜選択することができる。一例として、第１、第２の本体部１１、１２がダイカスト製品の場合はアルミニウム（Ａｌ）又はアルミ合金などが好適であり、樹脂製品の場合にはポリカーボネート（ＰＣ）などが好適である。
【００１９】
第１の本体部１１は、前端部１０１に相当する部分に、内側面１１０を有している。内側面１１０は、長手方向Ｌに交差する幅方向Ｗの一方に設けられている凹段状の段差面であって、第２の本体部１２の内側面１２０が組み合わされることにより、相対向面１１０、１２０間に、刃部材２、突起部材３、指置き部材４及び摺動部材５の取付部分が構成される。違う言葉で表現すれば、刃部材２、突起部材３、指置き部材４及び摺動部材５の取付部分を構成するため、第１、第２の本体部１１、１２の組み合わせによる半割り状の構造となっている。前端部１０１の内部構造については、図５乃至図８を参照して後述する。
【００２０】
また、第１の本体部１１は、後端部１０２に相当する部分に、リング状開口部１３を有
している。リング状開口部１３は、保持性及び操作性の観点から設けられるものであって、少なくとも一本の指を挿入するのに十分な大きさの内径を持っている。
【００２１】
刃部材２は、図２に抜き出して示すように、刃体２０と、刃保護体２１とを有している。刃体２０は、平面視、長方形形状の金属薄片であって、長手方向Ｌに交差する短手方向Ｔの一方に現れる長手端縁が鋭利な刃先を構成している。刃部材２の長さ寸法Ｌ２は、好ましくは４０〜６０ｍｍであり、より好ましくは４５〜５５ｍｍである。もっとも、長さ寸法Ｌ２は、マルチヘアカッターの用途に応じて適宜決定することができる。例えば、マルチヘアカッターが主にストロークカット用である場合、長さ寸法Ｌ２は４５ｍｍ程度が好適である。
【００２２】
刃保護体２１は、一枚の金属薄板を折り返して構成されており、折り返し部２１０を介して幅方向Ｗに向かい合う２つの挟持板面２１１、２１２を有している。挟持板面２１１、２１２のそれぞれは、刃体２０と同程度又は刃体２０よりも一回り大きな略長方形形状となっている。刃保護体２１は、２つの挟持板面２１１、２１２の相対向面間に刃体２０が案内され、案内された状態で向かい合う挟持板面２１１、２１２によって刃体２０を挟持している。
【００２３】
挟持板面２１２は、端手方向Ｔでみて長手端縁が挟持板面２１１から突出している。さらに、刃保護体２１は、挟持板面２１２において短手方向Ｔの一方に現れる長手端縁が櫛状歯２１３の列を構成している。櫛状歯２１３の列は、長手方向Ｌに隣接する櫛状歯２１３の相互間にギャップＧ１を有している。櫛状歯２１３は、刃体２０の一面上に重なっており、重なった状態で刃体２０の刃先が櫛状歯２１３の列によって交互に覆われ、刃先に露出部分２０１と非露出部分２０２とを生じさせている。
【００２４】
突起部材３は、ＡＳ樹脂（ＡＳ）、ＡＢＳ樹脂（ＡＢＳ）、ポリカーボネート（ＰＣ）、ポリエチレン（ＰＥ）、ポリプロピレン（ＰＰ）等の合成樹脂を用いた一体成型品であって、図３に抜き出して示すように、基体部３１と、１つの突片３２とを有している。
【００２５】
基体部３１は、長手方向Ｌに沿って伸びる棒状体であって、長手方向Ｌに交差する幅方向Ｗの両側に側面３１０を有している。側面３１０のそれぞれは、高さ方向Ｔでみた下側に凹部３１１と、凸部３１２とを有している。
【００２６】
凹部３１１は、底部３１３と、開口部３１４とを有し、側面３１０を、長手方向Ｌに沿って溝状に伸び、長手方向Ｌの両端面で切り欠き状に開口している。開口部３１４は、側面３１０の下辺から高さ方向Ｔに間隔Ｄ１を隔てた位置に開口し、底部３１３と幅方向Ｗに向かい合っている。底部３１３は、中心線ＣＬからみて幅寸法Ｗ２を隔てた位置に形成され、側面３１０から幅方向ＷにＷ１の分だけ後退している。
【００２７】
凸部３１２は、側面３１０において、間隔Ｄ１に現れており、側面３１０と、底部３１３との前後差に応じた突出寸法Ｗ１を有している。違う言葉で表現すると、基体部３１は、高さ方向Ｔでみた側面３１０の下側において、下辺から高さ方向Ｔに間隔Ｄ１を隔てた位置に、側面３１０と、底部３１３との前後差に応じたくびれ部分（幅寸法Ｗ３）を有している。
【００２８】
突片３２は、基体部３１の高さ方向Ｔの上側において、長手方向Ｌの一端に突設され、刃先とは反対の高さ方向Ｔに立ち上がっている。図３の突片３２の高さ寸法Ｔ３２は、１０ｍｍである。もっとも、突片３２の設置数、及び、高さ寸法は、用途に応じて適宜設定することができる。
【００２９】
指置き部材４は、ＡＳ樹脂（ＡＳ）、ＡＢＳ樹脂（ＡＢＳ）、ポリカーボネート（ＰＣ）、ポリエチレン（ＰＥ）、ポリプロピレン（ＰＰ）等の合成樹脂を用いた一体成型品であって、図４に抜き出して示すように、基体部４１と、リング部４２とを有している。
【００３０】
基体部４１は、略円柱状、又は、略円盤状であって、周方向Ｃに交差する高さ方向Ｔでみた周面４１０の下側に凹部４１１と、凸部４１２とを有している。
【００３１】
凹部４１１は、底部４１３と、開口部４１４とを有し、周面４１０を、周方向Ｃに沿って伸びている。開口部４１４は、周面４１０の下辺から高さ方向Ｔに間隔Ｄ１を隔てた位置に開口し、底部４１３と径方向Ｗに向かい合っている。底部４１３は、周面４１０から径方向ＷにＷ１の分だけ後退している。
【００３２】
凸部４１２は、周面４１０において、間隔Ｄ１に現れており、周面４１０と、底部４１３との前後差に応じた突出寸法Ｗ１を有している。基体部４１の高さ方向Ｔの下側について、違う言葉で表現すると、基体部４１は、周面４１０の下辺から高さ方向Ｔに間隔Ｄ１を隔てた位置に、周面４１０と、底部４１３との前後差に応じたくびれ部分（Ｗ３）を有している。図３及び図４を参照すると、基体部３１及び基体部４１の下側は実質的に同一のくびれ部分を有し、長手方向Ｌからみたときに重なり合う。
【００３３】
リング部４２は、貫通孔４２０を有し、基体部４１の高さ方向Ｔの上面側に突設され、高さ方向Ｔに立ち上がっている。リング部４２は、基体部４１に対して、周方向Ｃ、及び／又は、径方向Ｗに可動的に結合されていることが好ましい。また、貫通孔４２０には、ヘアカッター使用者の指が挿通されるから、内寸法Ｄ４２０は、想定される使用者の指の太さに応じて、１６〜２３ｍｍの範囲で適宜決定される。例えば、マルチヘアカッターを男性理容師向けに販売する場合には、内寸法Ｄ４２０を大きくすることができる。
【００３４】
図２乃至図４を参照して説明した刃部材２、突起部材３、指置き部材４及び摺動部材５は、前端部１０１に取り付けられる。次に、前端部１０１の内部構造について、図５乃至図８を参照して説明する。
【００３５】
図５乃至図８の本体部材１は、前端部１０１に、第１の収納部１４と、第２の収納部１５とを有している。第１の収納部１４は、高さ方向Ｔでみた前端部１０１の下側を長手方向Ｌに沿って伸びており、刃部材２が着脱可能に取り付けられている。第１の収納部１４は、収納空間１４０と、収納空間１４０に通じる開口端１４１とを有している。
【００３６】
収納空間１４０は、幅方向Ｗに向かい合う内側面１１０、１２０によって画定されている。内側面１１０、１２０は、高さ方向Ｔでみた下辺から間隔Ｄ２を隔てた位置まで湾曲して伸びており、曲面の始点と終点との間でギャップＧ２を有している。端的に言えば、内側面１１０、１２０は、刃部材２の外形形状に追従して湾曲している。
【００３７】
開口端１４１は、スリット状であって、前端部１０１の下側を長手方向Ｌに沿って伸びている。開口端１４１は、高さ方向Ｔでみた内側面１１０、１２０の下辺で構成されており、内側面１１０、１２０の下辺は、幅方向ＷにギャップＧ２を２倍した間隔を隔てて相対向している。刃部材２は、収納空間１４０に着脱可能に圧入され、圧入された状態で、刃体２０の刃先が、開口端１４１を通じて外部に露出している。
【００３８】
第２の収納部１５は、高さ方向Ｔでみた第１の収納部１４の反対側において、前端部１０１を長手方向Ｌに沿って伸びており、突起部材３及び指置き部材４が上述した順序で着脱可能に取り付けられている。第２の収納部１５は、収納空間１５０と、収納空間１５０に通じる開口端１５１とを有している。
【００３９】
収納空間１５０は、幅方向Ｗに向かい合う内側面１１０、１２０によって画定されている。内側面１１０、１２０は、図７に示すように、突起部材３及び指置き部材４のくびれ形状に追従した凹凸面構造を有している。より具体的に説明すると、第２の収納部１５を構成する内側面１１０は、第１の凹段部１６１と、第２の凹段部１６２とを有している。
【００４０】
第１の凹段部１６１は、内側面１１０の上端から間隔Ｄ１を隔てた位置に開口し、内側面１１０から厚み方向に幅寸法Ｗ１の分だけ後退した位置に底面を有している。第２の凹段部１６２は、間隔Ｄ１に現れており、内側面１１０と、第１の凹段部１６１の底面との前後差に応じた幅寸法差Ｗ１を有している。違う言葉で表現すると、内側面１１０は、高さ方向Ｔでみた中間部分から上側が、第１の凹段部１６１の底面と、第２の凹段部１６２の底面との前後差（Ｗ１）に応じて階段状になっている。
【００４１】
収納空間１５０の内面は、左側面（図７）からみて、左右対称となっている。以下、簡単に説明すると、第２の凹段部１６２は、内側面１２０の上端から間隔Ｄ１を隔てた位置に開口し、内側面１２０から幅寸法Ｗ１の分だけ後退した位置に底面を有している。第２の凹段部１６２は、間隔Ｄ１に現れており、内側面１２０と、第１の凹段部１６１の底面との前後差に応じた幅寸法差Ｗ１を有している。
【００４２】
さらに、図６乃至図８を参照すると、第１、第２の本体部１１、１２は、相対向面１１０、１２０間に互いに雄雌嵌合可能な雌形嵌合部１７１と、雄形嵌合部１７２とを有している。この構造によると、雄形嵌合部１７２が雌形嵌合部１７１に嵌合されされた状態で、第１、第２の凹段部１６１、１６２の相対向面間に、突起部材３及び指置き部材４のくびれ形状に追従した収納空間１５０が形成される。
【００４３】
収納空間１５０において、第２の凹段部１６２でみた相対向面１１０、１２０間の間隔は、第１の凹段部１６１でみた同間隔よりも幅寸法Ｗ１の分だけ幅方向Ｗに拡大されている。開口端１５１は、スリット状であって、前端部１０１の上側を長手方向Ｌに沿って伸びている。さらに、開口端１５１は、高さ方向Ｔでみた第１の凹段部１６１の上辺で構成されており、第１の凹段部１６１の上辺は、幅方向Ｗに幅寸法Ｗ２を２倍した間隔を隔てて相対向している。違う言葉で表現すれば、開口端１５１は、第２の凹段部１６２の相対向面間の距離よりも幅寸法Ｗ１の分だけ縮小されている。
【００４４】
突起部材３、及び、指置き部材４は、長手方向Ｌの一端側から収納空間１５０に着脱可能に圧入され、圧入された状態で、突片３２、及び、リング部４２が、開口端１５１の外部に露出している。
【００４５】
さらに図５乃至図８のマルチヘアカッターにおいて、第１の本体部１１は、貫通孔１８と、空洞部１９とを有している。空洞部１９は、相対向面１１０、１２０間において、高さ方向Ｔでみた中間部分に形成されている。貫通孔１８は、平面視長穴であって、互いに交差する長軸と短軸とを有し、前記長軸が長手方向Ｌに沿っている。貫通孔１８は、正面からみて空洞部１９の領域内に開口し、空洞部１９に貫通している。
【００４６】
摺動部材５は、押し出し片５１と、操作ボタン５２とを有している。押し出し片５１は、長手方向Ｌに現れる短手端縁に段状部５３を有しており、空洞部１９に収納された状態で、空洞部１９を長手方向Ｌに沿って摺動する。操作ボタン５２は、貫通孔１８を通じて押し出し片５１に軸止めされており、軸止めされた状態で押し出し片５１を長手方向Ｌに摺動させる。次に、図９乃至図１１を参照して、摺動部材５の目的、相互関係及び機能について説明する。
【００４７】
図９は、摺動部材５について、刃部材２、突起部材３、指置き部材４を押す前の状態を示している。図９に示すように、押し出し片５１は、空洞部１９の内部において、短手端縁が刃部材２の端部、及び、指置き部材４の端部に位置決めされている。
【００４８】
図１０は、摺動部材５について、刃部材２を押した後の状態を示している。図１０に示すように、操作ボタン５２を、貫通孔１８の一端側から中央付近のポイントＰ１までスライドさせた場合、押し出し片５１が、空洞部（１９）の一端側から中央の位置まで移動し、段状部５３の下段が刃部材２を押し、刃部材２を収納空間１４０に沿って長手方向Ｌに強制的に移動させ、前端部１０１の先端から刃部材２が押し出される。この状態で刃部材２を指でつまむことにより、収納空間１４０から刃部材２を抜き出すことができる。
【００４９】
さらに図１１に示すように、操作ボタン５２を、貫通孔１８の中央付近から他端側のポイントＰ２までスライドさせた場合、段状部５３の上段が指置き部材４を長手方向Ｌに強制的に移動させ、指置き部材４によって押された突起部材３が、前端部１０１の先端から押し出される。この状態で突起部材３を指でつまむことにより、収納空間１５０から突起部材３を抜き出すことができる。図１１からは必ずしも明らかではないが、突起部材３を抜き出した後、さらに指置き部材４を収納空間１５０から抜き出される。
【００５０】
図１乃至図１１を参照して説明したように、本発明の一実施形態に係るマルチヘアカッターは、前端部１０１に刃部材２が取り付けられているから、例えば、ストロークカット法において右手で後端部１０２を保持し、マルチヘアカッターを振り下ろす動作をすることにより、左手で保持している毛束の一部を刃部材２でカットするなど、通常の用法に従ったカット作業をすることができる。
【００５１】
図１乃至図１１のマルチヘアカッターは、上述したヘアカッターの基本的構成に加え、突起部材３を有する点に特徴の一つがある。突起部材３は突片３２を有し、突片３２は、基体部３１０の上側に突設され、刃部材２の刃先とは反対の高さ方向Ｔに立ち上がっている。この構造によると、例えば、ストロークカット法において、マルチヘアカッターを振り上げる動作で毛束の一部を突片３２に引っ掛けて間引くことができる。即ち、図１乃至図１１のマルチヘアカッターでは、上下往復操作中に毛束の一部を間引くことができるから、カット作業の作業効率が向上する。
【００５２】
突起部材３は、前端部１０１に着脱可能に取り付けられているから、所望のヘアデザインにあわせて突起部材３を適宜交換し、多様なヘアデザインを実現することができる。しかも、突起部材３の着脱操作は、図９乃至図１１を参照して説明したように、ヘアカッター使用者が、自分の親指または他の指によって、操作ボタン５２を長手方向Ｌにスライドさせる操作で簡単に実行することができる。
【００５３】
本発明は、突起部材３に加えて指置き部材４を有する点にもう一つの特徴がある。指置き部材４は、第２の収納部１５において、突起部材３の後端側に取り付けられている。さらに指置き部材４を構成するリング部４２は、基体部４１０の上側に突設され、刃部材２の刃先とは反対の方向（Ｔ）に立ち上がっている。この構造によると、例えば右手の人差し指をリング部４２に挿通させることにより、人差し指の挿通方向と、刃部材２の延びる方向とが長手方向Ｌで一致し、人差し指の指す方向に刃体２０の刃先が伸びることとなる。その結果、例えば、マルチヘアカッターを振り下ろす動作において、人差し指の示す方向に基づいて刃先の方向を認識し、髪に対する刃体２０の角度を微調節することができるから、カット作業の正確性が向上する。従って、多様なヘアデザインを実現することができる。
【００５４】
さらに、右手の人差し指をリング部４２に挿通させることにより、人差し指の背面（手
の甲側）がリング部４２の内面に突き当たり、ヘアカッター全体を吊り下げる状態となる。その結果、把手を強く握らなくてもヘアカッターを確実に保持することが可能となり、カット作業の正確性が向上する。従って、多様なヘアデザインを実現することができる。
【００５５】
図１２乃至図１４は、本発明に係るマルチヘアカッターの突起部材３について、もう一つの実施形態を示す図である。図１乃至図１１を参照して説明したように、突起部材３は、本体部材１に着脱可能に取り付けられているから、要求されるヘアデザインに応じて突起部材３を取り替えることができる。以下、図１乃至図１１との相違点を中心に説明する。
【００５６】
図１２の実施形態では、突片３２は、高さ寸法Ｔ２が図１乃至図１１の突片３２の半分程度、例えば５ｍｍとなっている。図１２の突起部材３を用いた場合、例えば、短い髪の人に対するカット作業の効率が向上する。
【００５７】
図１３の実施形態では、４つの突片３２が、基体部３１の高さ方向Ｔの上側において、長手方向Ｌに沿って等配されている。また、図１４の実施形態では、９つの突片３２が、基体部３１の高さ方向Ｔの上側において、長手方向Ｌに沿って等配されている。図１３及び図１４の実施形態によると、突起部材３を櫛として用いることにより、多様なヘアデザインを実現することができる。
【００５８】
図１５は、本発明に係るマルチヘアカッターの突起部材３について、もう一つの実施形態を示す図である。図１５の突起部材は、基体部３１の下側の構造が図１乃至図１４の実施形態とは異なる点で特徴がある。以下、図１５乃至図１８を参照して、図１乃至図１４との相違点を中心に説明する。
【００５９】
図１５の突起部材は、切り欠き空間３３と、係止部３４と、掛止部３５とを有している。切り欠き空間３３は、正面視、凹状の空間であって、開口部と、天面と、２つの内側面３３１、３３２とを有し、長手方向Ｌでみた基体部３１の中間部において、高さ方向Ｔの下側に開口している。天面は、正面（ｂ）からみて凹部３１１の上辺に一致し、開口部と高さ方向Ｔに向かい合っている。２つの内側面３３１、３３２は、長手方向Ｌでみた天面の両端から高さ方向Ｔに沿って立ち上がり、長手方向Ｌで向かい合っている。
【００６０】
係止部３４は、所謂ダンパーであって、アーム部３４０と、係止片３４１とを有している。アーム部３４０は、内側面３３１から長手方向Ｌに沿って、天面と平行に伸びている。アーム部３４０は、一端が内側面３３１と一体的に結合されて固定端となっており、他端が内側面３３２と間隔を隔てて自由端となっている。
【００６１】
さらに、アーム部３４０は、底面（ｃ）から見て幅方向Ｗに向かい合う凹部３１１、３１１間のくびれに応じた幅寸法（Ｗ３）を有している。アーム部３４０は、高さ方向Ｔの下面が基体部３１の底面と間隔Ｇ３を隔てており、且、高さ方向Ｔの上面が天面と間隔Ｇ４を隔てている。この構造によると、アーム部３４０は、外部から押し圧力に応じて、間隔Ｇ３、Ｇ４の範囲で高さ方向Ｔに沿って板バネ状に上下動することができる。
【００６２】
係止片３４１は、アーム部３４０の高さ方向Ｔの下面において、長手方向Ｌの他端側に突設されており、突出端が開口部から外部に突出している。係止片３４１は、アーム部３４０の下面と一体的に結合されている。
【００６３】
掛止部３５は、基体部３１の高さ方向Ｔの下側において、長手方向Ｌの一端側に突設され、突片３２とは反対の高さ方向Ｔに立ち上がっている。掛止部３５は、基体部３１の底面と一体的に結合されている。次に、図１６乃至図１８を参照して、係止部３４及び掛止
部３５の目的、相互関係及び機能について説明する。
【００６４】
図１６は、突起部材３を、第２の収納部１５に取り付ける前の状態を示している。図１６の第２の収納部１５は、底面に、係止溝１５２と、掛止穴１５３とを有している。係止溝１５２は、長手方向Ｌでみた第２の収納部１５の中間部に形成されており、係止片３４１と嵌合可能な凹形状を有している。掛止穴１５３は、長手方向Ｌでみた第２の収納部１５の一端に形成されており、掛止部３５と嵌合可能な凹形状を有している。
【００６５】
図１７は、突起部材３を、第２の収納部１５に挿入している途中の状態を示している。図１７に示すように、突起部材３を、第２の収納部１５の一端に案内した場合、係止片３４１が第２の収納部１５の底面に突き当たり、係止片３４１を通じて伝達される第２の収納部１５の底面からの押し圧力によって、アーム部３４０が高さ方向Ｔに押し上げられ、間隔Ｇ４に退避する。
【００６６】
さらに図１８に示すように、突起部材３を、第２の収納部１５に挿入し続けると、掛止部３５が掛止穴１５３に嵌合して突起部材３の挿入が規制され、この規制位置で係止溝１５２に係止片３４１が嵌合し、突起部材３が第２の収納部１５の内部に固定される。
【００６７】
図１６乃至図１８を参照して説明したように、図１５の突起部材３は、掛止部３５を有するから、掛止部３５がストッパーとして機能する。従って、突起部材３を第２の収納部１５の適切な位置に取り付けることができる。
【００６８】
さらに、図１５の突起部材３は、係止部３４により、第２の収納部１５の内部に固定されるから、カット作業時に加えられる外部からの物理的衝撃によって突起部材３が不正に脱落する問題は生じない。なお、突起部材３は、図９乃至図１１を参照して説明した操作をすれば簡単に取り外しうることは言うまでもない。
【００６９】
図１９は、本発明のさらにもう一つの実施形態に係るマルチヘアカッターの正面図である。図１９の実施形態は、本体部材１の形状が図１のマルチヘアカッターとは異なる点で特徴がある。以下、図１９を参照して、図１との相違点を中心に説明する。
【００７０】
図１９の実施形態は、前端部１０１が、後端部１０２に対して下降傾斜している。図１９の下降傾斜角度θは１５度であるが、必ずしもこれに限定する趣旨ではなく、０度以上３０度以下の範囲で適宜調節することができる。例えば、マルチヘアカッターがストロークカット専用である場合、下降傾斜角度θは３０度とすることができる。
【００７１】
図１９の実施形態によると、把手を構成する後端部１０２を握って、指置き部材４の貫通孔（４２０）に人差し指を挿通させた場合に、手の甲と人差し指との間の角度（下降傾斜角度θ）が確保されることにより、人間工学の観点から握りやすくなる。その結果、作業効率が向上する。
【００７２】
また、図１９の実施形態によると、把手を構成する後端部１０２を握って、手首や肘を支点として上下（又は前後）に振った場合、下降傾斜している分だけ前端部１０１の振り幅が大きくなる。従って、作業効率が向上する。
【００７３】
図２０は、本発明のさらにもう一つの実施形態に係るマルチヘアカッターの正面図である。図２０の実施形態は、図１のマルチヘアカッターとは、指置き部材４の構造が異なる点に特徴がある。以下、図２１を参照し、図１との相違点を中心に説明する。
【００７４】
図２１の指置き部材４は、ＡＳ樹脂（ＡＳ）、ＡＢＳ樹脂（ＡＢＳ）、ポリカーボネー
ト（ＰＣ）、ポリエチレン（ＰＥ）、ポリプロピレン（ＰＰ）等の合成樹脂を用いた一体成型品であって、基体部４１と、指受け皿部４３とを有している。
【００７５】
指受け皿部４３は、上面が凹状に湾曲し、基体部４１の高さ方向Ｔの上側に形成されている。指受け皿部４３は、ヘアカッター使用者が指を載置するために用いられるものであるから、指受け皿部４３の曲率は、想定される使用者の性別、特にヘアカッター使用者の指の太さに応じて、適宜決定することができる。
【００７６】
基体部４１の高さ方向Ｔの下側には、図３及び図４を参照して説明したとの同じくびれ部分が形成されており、このくびれ部分によって、指置き部材４が、本体部材１に着脱可能に取り付けられている。
【００７７】
図２０及び図２１の実施形態によっても、図１乃至図１９を参照して説明した利点を全て有することができる。さらに、指置き部材４は、本体部材１に着脱可能に取り付けられているから、図１乃至図１９の指置き部材４を、図２０及び図２１の指置き部材４に交換することにより、ヘアカッター使用者が、各々の使い勝手に応じてマルチヘアカッターの構成を自由に変更することができる。
【００７８】
図２２は、本発明のさらにもう一つの実施形態に係るマルチヘアカッターの正面図であって、指置き部材４を用いない場合の構成を示している。図２２のマルチヘアカッターでは、指置き部材４に対応する部分が被覆部材６によって覆われている。図２２からは明らかではないが、被覆部材６は、突起部材３、及び、指置き部材４と同様のくびれ構造を有していることが好ましい。
【００７９】
図２２の実施形態によっても、マルチヘアカッターは、少なくとも突起部材３を有するから、図１乃至図１９を参照して説明した利点を全て有することができる。
【００８０】
以上、好ましい実施例を参照して本発明の内容を具体的に説明したが、本発明の基本的技術思想及び教示に基づいて、当業者であれば、種種の変形態様を採り得ることは自明である。
【符号の説明】
【００８１】
１              本体部材
２              刃部材
３              突起部材
３１            基体部
３２            突片
４              指置き部材
４１            基体部
４２            リング部
【図１】
2011115382.tif 000003
【図２】
2011115382.tif 000004
【図３】
2011115382.tif 000005
【図４】
2011115382.tif 000006
【図５】
2011115382.tif 000007
【図６】
2011115382.tif 000008
【図７】
2011115382.tif 000009
【図８】
2011115382.tif 000010
【図９】
2011115382.tif 000011
【図１０】
2011115382.tif 000012
【図１１】
2011115382.tif 000013
【図１２】
2011115382.tif 000014
【図１３】
2011115382.tif 000015
【図１４】
2011115382.tif 000016
【図１５】
2011115382.tif 000017
【図１６】
2011115382.tif 000018
【図１７】
2011115382.tif 000019
【図１８】
2011115382.tif 000020
【図１９】
2011115382.tif 000021
【図２０】
2011115382.tif 000022
【図２１】
2011115382.tif 000023
【図２２】
2011115382.tif 000024